(57)【特許請求の範囲】
【請求項１】
使用者の頭部を被覆する頭部被覆部材において、
気体を注入することで膨張可能な膨張部と、水分を透過しない非透過シートを有し、
前記膨張部は、使用者の頭部に載置可能な載置部と、載置部を中心として螺旋状に延びた螺旋部を有し、
前記螺旋部は、円筒状の長尺体であり、
前記非透過シートは、載置部及び螺旋部のそれぞれの一部と不可分一体に接着されており、
前記非透過シートは、曲面を形成しており、
前記螺旋部は、前記曲面の内側面に沿って接着されており、
前記螺旋部は、第１周回領域と、第２周回領域を有し、
前記第２周回領域は、前記第１周回領域よりも先端部側の領域であって、前記第１周回領域の外側を囲んだ領域であり、
前記螺旋部は、平面視したときに、内外方向において前記第１周回領域と前記第２周回領域の間に隙間が形成されていることを特徴とする頭部被覆部材。
【請求項２】
前記膨張部は、中空体であり、その内部空間に気体を注入するための注入部を備えており、
前記膨張部は、外側環状部を有し、
前記載置部及び前記外側環状部は、環状に延びた中空体であり、
前記螺旋部は、延び方向の一方の端部が前記載置部と接続され、延び方向の他方の端部が前記外側環状部と接続されており、
前記載置部の内部空間と前記螺旋部の内部空間と前記外側環状部の内部空間は、連通しており、前記気体の行き来が可能となっていることを特徴とする請求項１に記載の頭部被覆部材。
【請求項３】
使用者の顎に引っかけるための顎紐部材を有し、
前記顎紐部材は、長手方向に伸縮可能であり、
前記顎紐部材は、長手方向の両端部が前記外側環状部と接続されることを特徴とする請求項２に記載の頭部被覆部材。
【請求項４】
前記非透過シートは、円形状であり、
前記膨張部を膨張させた状態を平面視したときに、非透過シートの直径は、８０ｃｍ以上１５０ｃｍ以下であることを特徴とする請求項１〜３のいずれかに記載の頭部被覆部材。
【発明の詳細な説明】
【技術分野】
【０００１】
本発明は、笠や帽子等の使用者の頭部を被覆する頭部被覆部材に関する。
【背景技術】
【０００２】
従来から、多くの人々は、天候が悪化し雨や雪等が降ったときには、雨傘を使用して、雨水から頭部等が濡れることを防止する。また、女性の中には、日差しが強い夏季等において、日傘を使用することによって、太陽光が直に照射されることを防止し、日差しを避ける。
【０００３】
しかし、傘をさすと、片手が傘の支持に使用されてしまうので、自転車等の運転時等において、運転が不安定になる場合がある。そのため、自転車等の運転中に傘を差すことは、安全性の観点から問題があった。
【０００４】
そこで、このような問題を解消するために、傘の機能を付加させた傘付き帽子が特許文献１に記載されている。
この特許文献１に記載の傘付き帽子は、帽子の上に折り畳み可能な傘を取り付けて、雨等に応じて、傘の固定フックを外すことによって、傘を開く構造となっている。この特許文献１に記載の傘付き帽子は、雨等がない場合には、傘を折りたたんで、通常の帽子として使用できる構造となっている。このように傘と帽子を一体化させて使用することによって、自動車等の走行時においても、安全に走行することが可能となる。
【先行技術文献】
【特許文献】
【０００５】
【特許文献１】特開２０１１−８９２３０号公報
【発明の概要】
【発明が解決しようとする課題】
【０００６】
しかしながら、特許文献１に記載の傘付き帽子は、本体布を広げるために線バネリングを備えている。そのため、電車の中等の帽子としての機能が不要となる場合に、折りたたむことができず、邪魔となるという問題がある。また、特許文献１に記載の傘付き帽子は、一般の帽子に比べて、金属の使用比率が大きくなるため、その全体重量が重くなるという問題があった。
【０００７】
そこで、本発明は、必要に応じて、帽子や笠として使用でき、かつ、不使用時に鞄等に折り畳んで収納可能な頭部被覆部材を提供することを目的としている。
【課題を解決するための手段】
【０００８】
上記課題を解決するための請求項１に記載の発明は、使用者の頭部を被覆する頭部被覆部材において、気体を注入することで膨張可能な膨張部と、水分を透過しない非透過シートを有し、前記膨張部は、使用者の頭部に載置可能な載置部と、載置部を中心として螺旋状に延びた螺旋部を有し、前記螺旋部は、円筒状の長尺体であり、前記非透過シートは、載置部及び螺旋部のそれぞれの一部と不可分一体に接着されており、前記非透過シートは、曲面を形成しており、前記螺旋部は、前記曲面の内側面に沿って接着されており、前記螺旋部は、第１周回領域と、第２周回領域を有し、前記第２周回領域は、前記第１周回領域よりも先端部側の領域であって、前記第１周回領域の外側を囲んだ領域であり、前記螺旋部は、平面視したときに、内外方向において前記第１周回領域と前記第２周回領域の間に隙間が形成されていることを特徴とする頭部被覆部材である。
すなわち、本発明は、使用者の頭部を被覆する頭部被覆部材において、気体を注入することで膨張可能な膨張部と、水分を透過しない非透過シートを有し、前記膨張部は、使用者の頭部に載置可能な載置部と、載置部を中心として螺旋状に延びた螺旋部を有し、前記螺旋部は、円筒状の長尺体であって、前記非透過シートは、載置部及び螺旋部のそれぞれの一部と不可分一体に接着されている。
【０００９】
本発明の構成によれば、膨張部に空気や窒素、アルゴン等の気体を導入することによって、膨張部は膨張し、載置部を頂点として膨張部が立体的に膨らむ。それに伴って、非透過シートが載置部と対応する部位を頂点とした傾斜面を形成する。そのため、使用者が本発明の頭部被覆部材を被ることによって、雨水等が傾斜面に沿って流れ、傘として機能を発揮できる。
また、本発明の構成によれば、膨張部から気体を抜くことによって膨張部がしぼんで、収縮した状態となるので、折りたたむことが可能となる。そのため、鞄等に収納して、持ち運びが可能となり、電車やバス等の帽子が必要でない場合であっても、邪魔になりにくい。
【００１０】
請求項２に記載の発明は、前記膨張部は、中空体であり、その内部空間に気体を注入するための注入部を備えており、前記膨張部は、外側環状部を有し、前記載置部及び前記外側環状部は、環状に延びた中空体であり、前記螺旋部は、延び方向の一方の端部が前記載置部と接続され、延び方向の他方の端部が前記外側環状部と接続されており、前記載置部の内部空間と前記螺旋部の内部空間と前記外側環状部の内部空間は、連通しており、前記気体の行き来が可能となっていることを特徴とする請求項１に記載の頭部被覆部材である。
すなわち、本発明は、前記膨張部は、中空体であり、その内部空間に気体を注入するための注入部を備えている。
【００１１】
本発明の構成によれば、気体を注入できる注入部を備えているため、当該注入部から膨張部の内部空間に空気等の気体を注入することによって、容易に膨張部を膨らませることが可能である。
【００１２】
請求項２に記載の発明は、前記載置部は、環状に延びた中空体であり、前記螺旋部の内部空間と前記載置部の内部空間は、連通している。
【００１３】
上記した構成によれば、螺旋部と載置部の内部空間が連通しているため、螺旋部又は載置部の一方に気体を注入することによって螺旋部と載置部を同時に膨らませることが可能である。
請求項３に記載の発明は、使用者の顎に引っかけるための顎紐部材を有し、前記顎紐部材は、長手方向に伸縮可能であり、前記顎紐部材は、長手方向の両端部が前記外側環状部と接続されることを特徴とする請求項２に記載の頭部被覆部材である。
【００１４】
請求項４に記載の発明は、前記非透過シートは、円形状であり、前記膨張部を膨張させた状態を平面視したときに、非透過シートの直径は、８０ｃｍ以上１５０ｃｍ以下であることを特徴とする請求項１〜３のいずれかに記載の頭部被覆部材である。
【００１５】
本発明の構成によれば、非透過シートの直径が使用者の頭部から肩まで覆うことが可能な大きさであるため、傘としての機能を確保しつつ、膨張部が膨張した状態において、他人の邪魔になりにくい。
【００１６】
請求項３に記載の発明は、使用者の顎に引っかけるための顎紐部材を有し、前記顎紐部材は、長手方向に伸縮可能である。
【００１７】
本発明の構成によれば、伸縮可能な顎紐部材を有しているため、使用者は顎紐部材を顎に引っかけることによって、頭部から頭部被覆部材が落下することを防止できる。
【００１８】
上記した発明において、非透過シートは、着色されていてもよい。
【００１９】
上記した発明において、非透過シートは、黒色であってもよい。
【００２０】
上記した発明において、非透過シートは、紫外線の透過率が３パーセント未満であってもよい。
【発明の効果】
【００２１】
本発明の頭部被覆部材によれば、帽子や笠として使用でき、かつ、不使用時に鞄等に収納できる。
【図面の簡単な説明】
【００２２】
【図１】本発明の第１実施形態の頭部被覆部材の使用状況の一例を表す正面図である。
【図２】本発明の第１実施形態の頭部被覆部材の斜視図である。
【図３】図２の頭部被覆部材の分解斜視図である。
【図４】図２の頭部被覆部材の断面図である。
【図５】図３の膨張部材の平面図である。
【図６】図３の膨張部材の要部の斜視図である。
【図７】図２の頭部被覆部材を帽子又は笠として使用する際の説明図であり、（ａ）は収縮状態の断面図であり、（ｂ）は膨張状態になる直前の断面図である。
【図８】図２の頭部被覆部材を鞄等に収納する際の説明図であり、（ａ）は膨張状態から空気を抜く際の断面図であり、（ｂ）収納状態の断面図である。
【図９】図２の頭部被覆部材に空気を注入し、収納状態から膨張状態に変更する際の空気の流れを表す平面図である。
【図１０】図２の頭部被覆部材を裏返して使用する際の説明図である。
【図１１】本発明の第２実施形態の頭部被覆部材の斜視図である。
【図１２】図１１の頭部被覆部材の分解斜視図である。
【図１３】本発明の他の実施形態における頭部被覆部材の使用例を表す斜視図である。
【発明を実施するための形態】
【００２３】
以下、本発明の第１実施形態の頭部被覆部材１について説明する。
【００２４】
頭部被覆部材１は、図１に示されるように、使用者の頭部を被覆し、雨や雪等の天候の変化や太陽の直射光等から使用者を保護するものである。すなわち、頭部被覆部材１は、帽子としての機能と、傘としての機能の両方を備えている。
頭部被覆部材１は、図２に示されるように、膨張部材２（膨張部）と、非透過シート３と、顎紐部材４を有している。
【００２５】
膨張部材２は、その内部に気体を注入・排出することによって、膨張及び収縮が可能な部材である。膨張部材２は、可撓性を有した樹脂シートを加工して形成されている。
具体的には、膨張部材２は、ビニール製のシートで形成されており、本実施形態では、ポリ塩化ビニル製のシートで形成されている。
【００２６】
膨張部材２は、図３に示されるように、内側環状部５（載置部）と、螺旋部６と、外側環状部７により構成されている。
内側環状部５は、使用者の頭部に載置する部位であり、長尺状の筒状体が環状に延びた部位である。すなわち、内側環状部５は、中空体であり、その内部に気体を注入可能な内部空間１０を有している。内側環状部５の断面形状は、円筒状となっている。
内側環状部５は、膨張部材２が膨張した状態において、非透過シート３を透過して平面視したときに円環状をしており、その内径は５０ｃｍ以上７０ｃｍ以下であることが好ましい。この範囲であれば、内側環状部５の外周面の内側部分が使用者の頭部にフィットしやすい。
【００２７】
螺旋部６は、頭部被覆部材１の骨格を形成する部位であり、円筒状の長尺体が螺旋状に延びた部位である。すなわち、螺旋部６は、図４に示されるように、中空体であり、その内部に気体を注入可能な内部空間１１を有している。内側環状部５の断面形状は、円筒状となっている。
螺旋部６の延び方向の一方の端部は、図３，図５から読み取れるように、内側環状部５の外周部の一部と接続されており、他方の端部は、外側環状部７の外周部の一部と接続されている。
具体的には、螺旋部６の一方の端部は、内側環状部５の外周面の一部であって、かつ、外側部分に設けられており、螺旋部６の他方の端部は、外側環状部７の外周面の一部であって、かつ、内側部分に設けられている。
また螺旋部６は、内側環状部５の延び方向に対して交差する方向に延びており、外側環状部７の延び方向に対して交差する方向にも延びている。
【００２８】
螺旋部６は、図５に示されるように、平面視すると内側環状部５を中心として内側環状部５の周りを渦巻き状に周回している。螺旋部６は、基端部側（内側環状部５側）から先端部（外側環状部７側）に向かって、第１周回領域１５、第２周回領域１６、第３周回領域１７、第４周回領域１８、及び第５周回領域１９の５つの領域から構成されている。
第１周回領域１５は、内側環状部５を囲んだ領域であり、第１周回領域１５における先端部（外側環状部７側端部）は、基端部（内側環状部５との接続部位）よりも外側に位置している。
第２周回領域１６は、螺旋部６の第１周回領域１５よりも先端部側の領域であって、第１周回領域１５の外側を囲んだ領域である。第２周回領域１６における先端部は、基端部（第１周回領域１５との接続部位）よりも外側に位置している。
第３周回領域１７は、螺旋部６の第２周回領域１６よりも先端部側の領域であって、第２周回領域１６の外側を囲んだ領域である。第３周回領域１７における先端部は、基端部（第２周回領域１６との接続部位）よりも外側に位置している。
第４周回領域１８は、螺旋部６の第３周回領域１７よりも先端部側の領域であって、第３周回領域１７の外側を囲んだ領域である。第４周回領域１８における先端部は、基端部（第３周回領域１７との接続部位）よりも外側に位置している。
第５周回領域１９は、螺旋部６の第４周回領域１８よりも先端部側の領域であって、第４周回領域１８を囲んだ領域である。第５周回領域１９における先端部は、基端部（第４周回領域１８との接続部位）よりも外側に位置している。
【００２９】
また、螺旋部６は、平面視すると、内外方向（径方向）において、第１周回領域１５と第２周回領域１６、第２周回領域１６と第３周回領域１７、第３周回領域１７と第４周回領域１８、第４周回領域１８と第５周回領域１９のそれぞれに隙間が形成されている。
【００３０】
外側環状部７は、非透過シート３の形状を維持する部位であり、長尺状の筒状体が環状に延びた部位である。すなわち、外側環状部７は、図４に示されるように、中空体であり、その内部に気体を注入可能な内部空間１２を有している。内側環状部５の断面形状は、円筒状となっている。
また、外側環状部７の中心は、図５から読み取れるように、内側環状部５の中心と同心となっており、外側環状部７は、内側環状部５と相似形状となっている。
【００３１】
外側環状部７は、図３，図６に示されるように、内部空間１２に気体を注入可能な気体注入部２５（注入部）を有している。
気体注入部２５は、図６に示されるように、外側環状部７の内部空間１２の内外を連通させる気体注入口２６と、気体注入口２６を閉塞する閉塞部材２７から構成されている。
気体注入口２６は、外側環状部７の壁面に形成された開口であり、閉塞部材２７の一部又は全部を装着可能となっている。
閉塞部材２７は、キャップであり、気体注入口２６に嵌合させることによって、気体注入口２６の開口を閉塞可能な部材である。
【００３２】
非透過シート３は、可撓性を有したシートであって、水分を透過しない樹脂製のシートである。具体的には、非透過シート３は、ビニール製のシートであり、本実施形態では、ポリ塩化ビニル製のシートである。
【００３３】
非透過シート３は、平面視したときに円形状をしており、膨張部材２を膨らませた状態において、平面視したときに、非透過シート３の直径は、８０ｃｍ以上１５０ｃｍ以下であることが好ましい。
この範囲であれば、雨や雪等が降ってきたときに、使用者が濡れることを防止でき、また、無駄に大きくなりすぎない。
また、非透過シート３は、わずかに山なりに湾曲しており、緩やかな曲面を形成している。
【００３４】
顎紐部材４は、図１に示されるように使用者の顎に引っかけて頭部被覆部材１の姿勢を保つ部材である。
顎紐部材４は、図３に示されるように、顎固定部３５と、４本の接続紐３６〜３９から構成されている。
顎固定部３５は、使用者の顎又はその近傍に固定される部位である。
接続紐３６〜３９は、顎固定部３５と外側環状部７を接続する紐状体である。接続紐３６〜３９は、弾性を有しており、その長手方向にそれぞれ伸縮可能となっている。
【００３５】
続いて、膨張部材２を膨らませた膨張状態の頭部被覆部材１の各部位の位置関係について説明する。
【００３６】
頭部被覆部材１は、平面視したときに内側環状部５の内側に窪みが形成されている。
螺旋部６は、図４に示されるように、側面視したときに所定の間隔を空けて複数段に積み上がっている。すなわち、螺旋部６は、図４に示されるように、内側環状部５側からみて、厚み方向の一段目に第１周回領域１５、二段目に第２周回領域１６、三段目に第３周回領域１７、四段目に第４周回領域１８、五段目に第５周回領域１９が積まれている。
頭部被覆部材１は、側面視したときに、内側環状部５と螺旋部６の第１周回領域１５がわずかに重なっている。また、螺旋部６では、第１周回領域１５と第２周回領域１６、第２周回領域１６と第３周回領域１７、第３周回領域１７と第４周回領域１８、第４周回領域１８と第５周回領域１９がそれぞれ重なっている。さらに螺旋部６の第５周回領域１９と外側環状部７が重なっている。
【００３７】
螺旋部６の内部空間１１は、内側環状部５の内部空間１０と連通しており、内部空間１０と気体の行き来が可能となっている。同様に外側環状部７の内部空間１２は、螺旋部６の内部空間１１と連通しており、内部空間１１と気体の行き来が可能となっている。
【００３８】
外側環状部７には、図２に示されるように、顎紐部材４が取り付けられている。
具体的には、顎紐部材４の２本の接続紐３６，３７の一方の端部は、図３から読み取れるように、外側環状部７の周方向において、所定の間隔を空けて外側環状部７と接続されており、その他方の端部は、顎固定部３５の一方の端部に接続されている。
外側環状部７の周方向における接続紐３６，３７との接続部位間の間隔は、５ｃｍ〜１５ｃｍであることが好ましく、８ｃｍ〜１２ｃｍであることが好ましい。
残りの２本の接続紐３８，３９は、接続紐３６，３７と、内側環状部５を挟んで対向する位置に配されている。接続紐３８，３９の一方の端部は、外側環状部７の周方向において、所定の間隔を空けて外側環状部７と接続されている。これらの接続紐３８，３９の他方の端部は、顎固定部３５の残りの端部に接続されている。
外側環状部７の周方向における接続紐３８，３９との接続部位間の間隔は、５ｃｍ〜１５ｃｍであることが好ましく、８ｃｍ〜１２ｃｍであることが好ましい。
非透過シート３は、内側環状部５、螺旋部６、及び外側環状部７のそれぞれの外周面に沿って取り付けられており、内側環状部５、螺旋部６の各周回領域１５〜１９、及び外側環状部７のそれぞれの一部は、図示しない接着剤等の接着手段によって非透過シート３に不可分一体に接着されている。すなわち、非透過シート３の曲面の内側面に沿って内側環状部５、螺旋部６、及び外側環状部７のそれぞれが接着されている。
【００３９】
続いて、本実施形態の頭部被覆部材１の使用方法の一例について説明する。
【００４０】
まず、収縮状態の頭部被覆部材１を笠又は帽子として使用する場合について説明する。
この収納状態では、膨張部材２の内部空間１０〜１２内の空気が抜けており、内側環状部５、螺旋部６、及び外側環状部７は、いずれもしぼんでいる。すなわち、膨張部材２は、非透過シート３とともに略シート状となっている。
また、気体注入部２５は、気体注入口２６から閉塞部材２７が外れており、開状態となっている。
【００４１】
頭部被覆部材１に笠又は帽子としての機能を付加させるために、図７から読み取れるように収縮状態の膨張部材２に対して、外側環状部７の気体注入口２６（図６参照）から気体たる空気を注入する。
このとき、図９に示されるように、内側環状部５、螺旋部６、及び外側環状部７の内部空間１０〜１２がそれぞれ連通しているので、外側環状部７が膨張していき、それに伴い、螺旋部６が外側の第５周回領域１９から内側の第４周回領域１８、第３周回領域１７、第２周回領域１６、第１周回領域１５の順に膨張していき、内側環状部５が膨張する。
【００４２】
すなわち、頭部被覆部材１は、上記の気体注入部２５からの空気の注入に伴い、外側環状部７、螺旋部６、内側環状部５の順に膨張していき、内側環状部５、螺旋部６、及び外側環状部７がいずれも膨張すると、笠状に広がって立体構造となる。
【００４３】
そして、内側環状部５、螺旋部６、及び外側環状部７がいずれも膨張して、所望の弾性の頭部被覆部材１となると、閉塞部材２７によって外側環状部７の気体注入口２６を閉塞し、閉状態とする。
【００４４】
上記のようにして、頭部被覆部材１が立体形状となり膨張状態で維持されると、使用者は、図１のように、その頭部に内側環状部５を載置し、顎紐部材４に顔を通して、顎近傍を顎固定部３５に固定する。
【００４５】
続いて、笠又は帽子として頭部被覆部材１を使用しない場合について説明する。
【００４６】
頭部被覆部材１が不使用の場合には、図８に示されるように膨張部材２から内部空間１０〜１２内の空気を抜き、膨張部材２を収縮させる。すなわち、閉塞部材２７を気体注入口２６から取り外し、気体注入口２６から内部空間１０〜１２の空気を排出させる。
【００４７】
このとき、気体注入口２６が設けられた外側環状部７から順次螺旋部６、内側環状部５の空気が排出されてしぼんでいき、非透過シート３とともに平坦となる。
すなわち、非透過シート３及び膨張部材２は、重なったシート状となり、折りたたみが可能となる。そのため、収縮状態の頭部被覆部材１を適宜折り畳むことによって、小さくすることが可能となり、鞄等に収納可能となる。そのため、通勤、通学、スポーツ観戦、アウトドアなどの外出時に小さく折り畳んで持つことで、急な天候の変化等に対応でき、便利である。
【００４８】
また、本実施形態の頭部被覆部材１は、空気を抜いたときにシート状となるため、図１０に示されるように、非透過シート３と膨張部材２を裏返して使用することもできる。
例えば、雨や雪等の中で頭部被覆部材１を使用し、頭部被覆部材１が濡れた後に、電車やバス等の公共交通手段を利用する場合でも、膨張部材２と非透過シート３を裏返して、顎紐部材４を把持することによって、非透過シート３についた水滴等が面に落下することを防止できる。また、非透過シート３についた水滴等が他の乗車客等に着くことも防止できる。
【００４９】
本実施形態の頭部被覆部材１によれば、使用者の頭部に内側環状部５を載置して、顎紐部材４によって固定して安定させるため、使用者の髪が押圧されにくく、使用者の髪の乱れが少ない。すなわち、本実施形態の頭部被覆部材１によれば、例えば、平面視したときの内側環状部５の内径の大きさを調整し、使用者の頭部がしっかりと内側環状部５に嵌らないようにすることで、内側環状部５によって髪の毛が押圧されることによる髪の乱れの発生を防止できる。
【００５０】
本実施形態の頭部被覆部材１によれば、螺旋部６が螺旋状に膨張し、非透過シート３の骨組みを構成するため、螺旋部６を有しない場合に比べて全体として丈夫となる。
【００５１】
本実施形態の頭部被覆部材１によれば、顎紐部材４の接続紐３６〜３９が周方向に間隔を空けて配されており、複数点支持されているため、使用者の頭部に載置したときに、姿勢が安定しやすく、傾きにくい。
【００５２】
続いて、第２実施形態の頭部被覆部材１００について説明する。なお、第１実施形態と同様のものは同じ符番を付して説明を省略する。
第２実施形態の頭部被覆部材１００は、第１実施形態の頭部被覆部材１と膨張部材の螺旋部の間隔が異なる。すなわち、頭部被覆部材１００の螺旋部１０６は、図１１，図１２に示されるように、各周回領域１１５〜１１９の面方向における間隔が狭い。
膨張部材は、平面視したときに、第５周回領域１１９が、外側環状部７の一部と重なっており、第４周回領域１１８が、第５周回領域１１９と重なっている。また、第３周回領域１１７は、第４周回領域１１８と重なっており、第２周回領域１１６は、第３周回領域１１７と重なっている。さらに第１周回領域１１５は、第２周回領域１１６と重なっており、内側環状部５は、第１周回領域１１５と重なっている。
【００５３】
続いて、頭部被覆部材１００の各部位の位置関係について説明する。
螺旋部１０６の第５周回領域１１９は、外側環状部７の外周面上に載置されており、螺旋部１０６の第４周回領域１１８は、第５周回領域１１９の外周面上に載置されている。螺旋部１０６の第３周回領域１１７は、第４周回領域１１８の外周面上に載置されており、螺旋部１０６の第２周回領域１１６は、第３周回領域１１７の外周面上に載置されている。螺旋部１０６の第１周回領域１１５は、第２周回領域１１６の外周面上に載置されており、内側環状部５は、第１周回領域１１５の外周面上に載置されている。
このように、第２実施形態の頭部被覆部材１００によれば、膨張部材２を膨張させたときに、外側環状部７、螺旋部１０６の各領域１１５〜１１９、内側環状部５がそれぞれ積み重なっているため、形状が安定し、各部位が崩れにくい。
【００５４】
上記した実施形態において、非透過シート３は、紫外線の透過を抑制又は防止する加工を施してもよい。こうすることによって、日傘としての機能を付加させることができ、より実用的である。
【００５５】
上記した実施形態において、非透過シート３は、着色してもよい。例えば、黒色にすることによって日傘としての機能を付加できる。また、模様等のデザインを施してもよい。
【００５６】
上記した実施形態では、使用者の頭部側からみて、内側に膨張部材２が位置し、その外側に非透過シート３が位置するものであったが、本発明はこれに限定されるものではなく、使用者の頭部側からみて、図１３に示されるように、内側に非透過シート３が位置し、その外側に膨張部材２が位置するものであってもよい。
【００５７】
上記した実施形態では、螺旋部６，１０６は、筒状体が５回周回したものであったが、本発明はこれに限定されるものではなく、螺旋部の巻回数は限定されない。すなわち、螺旋部は、筒状体が４回以下周回したものでもよいし、６回以上周回したものであってもよい。
【００５８】
上記した実施形態では、顎紐部材４を外側環状部７に設けていたが、本発明はこれに限定されるものではなく、顎紐部材４を螺旋部６，１０６に設けてもよいし、非透過シート３に設けてもよい。また、内側環状部５に設けてもよい。
【００５９】
上記した実施形態では、膨らませた状態における内側環状部５と、螺旋部６と、外側環状部７の断面形状は、いずれも円筒状であったが、本発明はこれに限定されるものではなく、三角形や四角形、楕円形、星形等の筒状の形状であってもよい。
【符号の説明】
【００６０】
１，１００  頭部被覆部材
２  膨張部材（膨張部）
３  非透過シート
４  顎紐部材
５  内側環状部（載置部）
６，１０６  螺旋部
１０〜１２  内部空間
２５  気体注入部（注入部）
【図１】
0006336896.tif 000002
【図２】
0006336896.tif 000003
【図３】
0006336896.tif 000004
【図４】
0006336896.tif 000005
【図５】
0006336896.tif 000006
【図６】
0006336896.tif 000007
【図７】
0006336896.tif 000008
【図８】
0006336896.tif 000009
【図９】
0006336896.tif 000010
【図１０】
0006336896.tif 000011
【図１１】
0006336896.tif 000012
【図１２】
0006336896.tif 000013
【図１３】
0006336896.tif 000014